(57)【特許請求の範囲】
【請求項１】
回転駆動源からの回転力を受けて回転する、磁性体からなる駆動側回転部材（１）と、
この駆動側回転部材（１）に電気絶縁して設けられ、通電により電磁吸引力を発生する電磁コイル（２）と、
従動側機器（５）の回転軸（１３）に連結される従動側回転部材（１１）と、
前記駆動側回転部材（１）に対向配設され、前記電磁コイル（２）の発生する電磁吸引力により前記駆動側回転部材（１）に吸着される、磁性体からなるアーマチャ（８）と、
前記従動側回転部材（１１）と前記アーマチャ（８）との間を連結するように配設され、かつ弾性変形可能な弾性連結部材（９）とを備える電磁クラッチにおいて、
前記駆動側回転部材（１）を、内周円筒部（１ｂ）と、外周円筒部（１ｃ）と、この両円筒部（１ｂ、１ｃ）の間に形成された環状の凹部（１ｄ）とを有する断面形状に形成し、
前記電磁コイル（２）は前記凹部（１ｄ）内に配置されており、
前記駆動側回転部材（１）の前記内周円筒部（１ｂ）および前記外周円筒部（１ｃ）の端部に、前記アーマチャ（８）に対向する摩擦面（１ｅ）が形成されており、
さらに、前記凹部（１ｄ）のうち、前記電磁コイル（２）よりも前記アーマチャ（８）側の部位に、磁性体からなる摩擦板（４）が配置され、
前記アーマチャ（８）のうち、前記摩擦板（４）の半径方向の中間に位置する部位に磁気遮断部（８ａ）が配置され、
前記摩擦板（４）は、リング状の本体部（４ａ）とこのリング状の本体部（４ａ）の外周部および内周部にそれぞれ設けられた突起部（４ｂ、４ｃ）とを有しており、
この外周部および内周部の突起部（４ｂ、４ｃ）は、前記リング状の本体部（４ａ）よりも薄肉の形状で前記リング状の本体部（４ａ）の円周方向に部分的に形成され、
一方、前記駆動側回転部材（１）の前記内周円筒部（１ｂ）および前記外周円筒部（１ｃ）の端部にそれぞれ溝部（１ｆ、１ｇ）が形成され、
前記摩擦板（４）の外周部の突起部（４ｂ）を前記外周円筒部（１ｃ）の溝部（１ｆ）に挿入するととともに、前記摩擦板（４）の内周部の突起部（４ｃ）を前記内周円筒部（１ｂ）の溝部（１ｇ）に挿入することで、前記摩擦板（４）が前記内周円筒部（１ｂ）および前記外周円筒部（１ｃ）の端部に支持され、
前記駆動側回転部材（１）および前記摩擦板（４）と前記アーマチャ（８）との間で、半径方向に４極以上の電磁吸着部（（１）〜（４））を構成することを特徴とする電磁クラッチ。
【請求項２】
前記溝部（１ｆ、１ｇ）は環状であることを特徴とする請求項１に記載の電磁クラッチ。
【請求項３】
前記摩擦板（４）の外周部の突起部（４ｂ）および内周部の突起部（４ｃ）のうち、少なくとも一方が前記駆動側回転部材（１）の前記内周円筒部（１ｂ）または前記外周円筒部（１ｃ）の端部に溶接より固着されていることを特徴とする請求項１または２に記載の電磁クラッチ。
【発明の詳細な説明】
【０００１】
【発明の属する技術分野】
本発明は動力伝達を断続する電磁クラッチに関するもので、自動車用空調装置の冷凍サイクルの圧縮機駆動用として好適なものである。
【０００２】
【従来の技術】
従来のこの種の電磁クラッチにおいては、一般に電磁吸引力を発生する電磁コイルを固定部材側に設置するコイル固定型のものが使用されている。このコイル固定型は、電磁コイルが固定部材側にあるので、電磁コイルへの通電路を特別の通電部材を必要とすることなく簡単に構成できる利点がある。
【０００３】
しかし、電磁コイルを固定部材側に設置するため、電磁コイルによる磁束が通過する磁気回路が、固定部材、駆動側回転部材およびこの回転部材に磁気吸引されるアーマチャの三者を経由する回路となり、この三者の間にそれぞれ磁気ギャップが存在する。そのため、磁気損失が大となり、磁気効率が低くなるので、電磁コイルの大型化、あるいは電磁コイルの消費電力の増加を招く。
【０００４】
そこで、電磁コイルを回転部材側に設置するコイル回転型が実開平１−１３１０２８号公報等で提案されている。このコイル回転型のものは磁気回路を回転部材と回転部材に磁気吸引されるアーマチャのみで構成できるので、コイル固定型に比して磁気損失が非常に小さくなり、磁気効率を大幅に向上できるという利点がある。
【０００５】
【発明が解決しようとする課題】
しかしながら、上記公報のものでは、磁性体製の駆動側回転部材に対して、これとは別体の磁性体製の摩擦板を接合し、この摩擦板に対して微少隙間を介して磁性体製のアーマチャを対向配置する構造を採用している。このため、電磁コイルへの通電により発生する磁気回路の磁束が互いに別体である回転部材と摩擦板との接合部を通過する。
【０００６】
この回転部材と摩擦板との接合は通常点溶接等の接合手段で行われるが、接合部の円周方向において溶接箇所以外の部分では微少な隙間が存在するので、この微少隙間が原因となって磁気効率の低下を招くという不具合がある。
また、回転部材に対する摩擦板の半径方向の位置決めを行うことができないので、組付生産性も低い。
【０００７】
本発明は上記点に鑑みてなされたもので、コイル回転型の電磁クラッチにおいて、磁気効率の向上を図ることを目的とする。
また、本発明はコイル回転型の電磁クラッチにおいて、組付生産性の向上を図ることを他の目的とする。
【０００８】
【課題を解決するための手段】
上記目的を達成するため、請求項１記載の発明では、回転駆動源からの回転力を受けて回転する、磁性体からなる駆動側回転部材（１）を、内周円筒部（１ｂ）と、外周円筒部（１ｃ）と、この両円筒部（１ｂ、１ｃ）の間に形成された環状の凹部（１ｄ）とを有する断面形状に形成し、
電磁コイル（２）を凹部（１ｄ）内に電気絶縁して配置し、
駆動側回転部材（１）の内周円筒部（１ｂ）および外周円筒部（１ｃ）の端部に、アーマチャ（８）に対向する摩擦面（１ｅ）を形成し、
さらに、凹部（１ｄ）のうち、電磁コイル（２）よりもアーマチャ（８）側の部位に、磁性体からなる摩擦板（４）を配置し、
アーマチャ（８）のうち、摩擦板（４）の半径方向の中間に位置する部位に磁気遮断部（８ａ）を配置し、
摩擦板（４）は、リング状の本体部（４ａ）とこのリング状の本体部（４ａ）の外周部および内周部にそれぞれ設けられた突起部（４ｂ、４ｃ）とを有しており、
この外周部および内周部の突起部（４ｂ、４ｃ）は、リング状の本体部（４ａ）よりも薄肉の形状でリング状の本体部（４ａ）の円周方向に部分的に形成し、
一方、駆動側回転部材（１）の内周円筒部（１ｂ）および外周円筒部（１ｃ）の端部にそれぞれ溝部（１ｆ、１ｇ）を形成し、
摩擦板（４）の外周部の突起部（４ｂ）を外周円筒部（１ｃ）の溝部（１ｆ）に挿入するととともに、摩擦板（４）の内周部の突起部（４ｃ）を内周円筒部（１ｂ）の溝部（１ｇ）に挿入することで、摩擦板（４）を内周円筒部（１ｂ）および外周円筒部（１ｃ）の端部に支持し、
駆動側回転部材（１）および摩擦板（４）とアーマチャ（８）との間で、半径方向に４極以上の電磁吸着部（（１）〜（４））を構成することを特徴としている。
【０００９】
これによると、半径方向に４極以上の電磁吸着部（▲１▼〜▲４▼）を構成することにより、ア−マチャ（８）の電磁吸引力を増大できる。しかも、アーマチャ（８）と駆動側回転部材（１）との間、およびアーマチャ（８）と摩擦板（４）との間でそれぞれ別体の部品が介在することがなく、これらの部材間を直接磁束が流れるので、従来技術のような別体部品による磁気抵抗の増大が発生せず、磁気効率を向上できる。従って、電磁コイル（２）の起磁力をアーマチャ（８）の電磁吸引力発生のために効率よく活用でき、電磁コイル（２）の線径を細くできるので、電磁コイル（２）の小型化および消費電力の低減を達成できる。
【００１１】
また、請求項１記載の発明によると、両突起部（４ｂ、４ｃ）と両溝部（１ｆ、１ｇ）との嵌合により摩擦板（４）の半径方向および軸方向の位置決めを行うことができるので、摩擦板（４）の駆動側回転部材（１）への組付が容易となり、クラッチの組付生産性を向上できる。
また、上記溝部（１ｆ、１ｇ）を請求項２のように環状にすれば、上記溝部（１ｆ、１ｇ）を容易に加工できる。
【００１２】
また、請求項３のように、摩擦板（４）の外周部の突起部（４ｂ）および内周部の突起部（４ｃ）のうち、少なくとも一方を駆動側回転部材（１）の内周円筒部（１ｂ）または外周円筒部（１ｃ）の端部に溶接より固着すれば、摩擦板（４）を駆動側回転部材（１）に強固に固定できる。
なお、上記各手段の括弧内の符号は、後述する実施形態記載の具体的手段との対応関係を示すものである。
【００１３】
【発明の実施の形態】
以下、本発明の実施の形態を図に基づいて説明する。
図１〜図７は本発明の一実施形態を示すもので、１は駆動側ロータで、その外周部に多重Ｖベルトが係合される多重Ｖ溝を持ったプーリ部１ａが一体に設けられている。駆動側ロータ１は、図示しないベルトを介して自動車エンジンから回転力を受けて回転する駆動側回転部材であって、低炭素鋼のような鉄系金属（強磁性体）で断面コの字形状の２重リング形状に成形されている。
【００１４】
この駆動側ロータ１の内周円筒部１ｂと外周円筒部１ｃの間には環状の凹部１ｄが形成されており、また、ロータ１の半径方向の側面、すなわち、内周円筒部１ｂと外周円筒部１ｃの軸方向端部には摩擦面１ｅが形成されている。
２は電磁吸引力を発生する電磁コイルで、駆動側ロータ１の凹部１ｄ内に設置されている。この電磁コイル２は樹脂製の巻枠２ａ上に巻線された状態で、凹部１ｄに成形された樹脂部材３により上記凹部１ｄに対して絶縁固定されている。従って、電磁コイル２は駆動側ロータ１と一体に回転するようになっている。
【００１５】
４は低炭素鋼のような鉄系金属（強磁性体）からなる摩擦板で、図７に示すようにリング状の本体部４ａの外周側および内周側にそれぞれ複数の突起部４ｂ、４ｃを一体成形している。この複数の外周側の突起部４ｂをロータ１の外周円筒部１ｃの環状溝部１ｆ（図１、２、４参照）に挿入、支持させる。また、複数の内周側の突起部４ｃをロータ１の内周円筒部１ｃの環状溝部１ｇ（図１、２、４参照）に挿入、支持させる。さらに、内周側の突起部４ｃは溶接等の手段にてロータ１の内周円筒部１ｂに固着している。
【００１６】
図４は摩擦板４のロータ１への組付状態を示しており、ロータ１の凹部１ｄ内に電磁コイル２部が樹脂部材３により絶縁固定された後に、摩擦板４はロータ１に対して組付けられる。
ここで、摩擦板４の内外周の突起部４ｂ、４ｃは本例では図４、７に示すように、それぞれ６個づつ等間隔に形成してある。そして、図２に示すように、突起部４ｂ、４ｃの側面４ｂ′、４ｃ′が環状溝部１ｆ、１ｇの側壁面に当接して、摩擦板４の軸方向の位置決めが行われ、また、図２、４に示すように、突起部４ｂの外周端が環状溝部１ｆの外周壁に、また、突起部４ｃの内周端が環状溝部１ｇの内周壁にそれぞれ当接して摩擦板４の径方向の位置決めが行われる。なお、摩擦板４の円周方向の位置決めは特に行う必要がないので、円周方向の位置決め手段は設けてない。
【００１７】
５は従動側機器（回転機械）である圧縮機で、６は圧縮機５のうち、電磁クラッチ側に位置するフロントハウジングである。このフロントハウジング６はアルミニウム系金属からなり、その軸方向外方に円筒状に突出するボス部６ａを中心部に一体成形している。ここで、圧縮機５は自動車用空調装置の冷凍サイクルの冷媒圧縮用のものであって、公知の斜板型、ベーン型、スクロール型等のいずれのタイプでもよい。
【００１８】
７は駆動側ロータ１をフロントハウジング６のボス部６ａ上に回転自在に支持する軸受であり、この軸受７は本例では駆動側ロータ１の内周面に固定された外輪７ａと、ボス部６ａの外周面に固定された内輪７ｂと、この両者７ａ、７ｂの間に転動自在に保持されたボール７ｃとを有する転がり軸受から構成されている。
【００１９】
８はロータ１の摩擦面１ｅおよび摩擦板４に対向配設されたアーマチャで、リング状の平板形状に低炭素鋼のような鉄系金属（強磁性体）で形成されている。このアーマチャ８は電磁コイル２の非通電時にはロータ１の摩擦面１ｅから所定の微小距離離れた位置（図１〜３に示す位置）に板バネ（弾性連結部材）９のバネ力で保持されるようになっている。この板バネ９は細長の薄板状のものであり、アーマチャ８の円周方向に複数個配置され、各板バネ９の一端部は図示しないリベットによりアーマチャ８に連結され、各板バネ９の他端部はリベット１０によりハブ１１に連結されている。
【００２０】
ここで、アーマチャ８の径方向において、摩擦板４の本体部４ａの中間に対向する部位には、円周方向に延びる円弧状の溝８ａが磁気遮断部として複数個形成してあり、この溝８ａの形成によって電磁コイル２の磁気回路Ｂを図１、２に示すようにアーマチャ８の径方向中間部で摩擦板４の本体部４ａとの間で屈曲させる。
【００２１】
なお、摩擦板４の突起部４ｂ、４ｃの円周方向の寸法は図４に示すように微小であり、突起部４ｂ、４ｃ部分の磁気抵抗が非常に大きい。そのため、突起部４ｂ、４ｃを磁束がほとんど通過せず、磁気回路Ｂに示すように、アーマチャ８の内周部とロータ１の内周円筒部１ｂの端部との間、およびアーマチャ８の外周部とロータ１の外周円筒部１ｃの端部との間をほとんどの磁束が通過する。
【００２２】
以上により、ロータ１および摩擦板４と、アーマチャ８との間で、半径方向に４極（４箇所）の電磁吸着部▲１▼〜▲４▼を構成できる。
ハブ１１は鉄系金属にて半径方向に延びる円板部１１ａと中心円筒部１１ｂとを有する形状に成形されており、円板部１１ａの外周側にはゴム等の弾性体からなるストッパー部材１２が装着され、このストッパー部材１２にてアーマチャ８の軸方向位置（コイル非通電時の位置）を規定する。
【００２３】
ハブ１１の中心円筒部１１ｂは、圧縮機５の回転軸１３にスプライン結合等により回り止めして嵌合している。そして、回転軸１３の先端部のネジ穴にボルト１４をネジ込むことによりハブ１１の内周鍔部１１ｃを回転軸１３の段部との間に挟み込んで、ハブ１１を回転軸１３に一体に連結している。
次に、ロータ１とともに回転する電磁コイル２への通電路の構成を説明すると、この通電路構成において、軸受７を支持する圧縮機ボス部６ａの内周側に、スリップリング１９、２０とブラシ２２、２３とを持つ摺動通電機構を配置している。
【００２４】
この摺動通電機構の配置レイアウトは、具体的には次のごとく構成されている。ロータ１の内周円筒部１ｂのうち、電磁コイル２の内周側で、アーマチャ８側の部位には溝部１ｈ、１ｉを形成して、電磁コイル２の両端部に電気接続された正極側、負極側の２本のリード線１６、１７を所定間隔開けて、相互間の電気絶縁を確保しつつ溝部１ｈ、１ｉ内を内周方向へ配線する。なお、この２本のリード線１６、１７は、図１、２では図示簡略化のために１本のみ示している。このリード線１６、１７は本例では銅、アルミニウム等の導体金属をそのまま露出させている裸線からなる。
【００２５】
そして、摩擦板４およびアーマチャ８の内周側には樹脂等の電気絶縁材にて成形されたリング状の保持板１８が配置され、この保持板１８の外周部には複数の突起１８ａを形成し、この突起１８ａをロータ１の内周円筒部１ｂの内周突出端１ｊに設けた凹部１ｋ内に嵌合係止することにより、保持板１８がロータ１の内周部に一体に保持され、ロータ１と一端に回転するようにしてある。
【００２６】
この保持板１８の内周側で、ボス部６ａ側の面には同心状に正極側、負極側の２つのスリップリング１９、２０が固着されている。図５に示すように、リード線１６、１７の内周側の部位は保持板１８の板厚内部に埋設するように成形してあり、リード線１６、１７の内周側端部はそれぞれ正極側、負極側のスリップリング１９、２０に電気接続されている。
【００２７】
一方、圧縮機５の回転軸１３に固定されたハブ１１の中心円筒部１１ｂと、ボス部６ａの内周面との間には円筒状の空間２１が確保してあり、この空間２１には正極側、負極側のブラシ２２、２３が配置してある。このブラシ２２、２３は円筒状の形状であり、その軸方向の両端には樹脂等の電気絶縁材で形成されたリング状の保持部材２４、２５が配置されている。
【００２８】
この両保持部材２４、２５により円筒状のブラシ２２、２３相互の間に径方向の所定の間隔を保持し、電気絶縁を図る。また、保持部材２５の外周延長部により外側のブラシ２２とボス部６ａの内周面との間の電気絶縁を図っている。一方の保持部材２４は保持板１８に一体成形することができるが、別体部品を保持板１８に固着してもよい。
【００２９】
さらに、内側のブラシ２３の内周部から圧縮機５側へ延びる円筒状の保持部材２６が空間２１内に配置されており、この保持部材２６も樹脂等の電気絶縁材で形成され、この保持部材２６の鍔部２６ａの外周部には図６に示すように複数の突起２６ｂを形成し、この突起２６ｂをボス部６ａの内周面に設けた凹部６ｂ内に嵌合係止することにより、保持部材２６はボス部６ａの内周部に保持されている。
【００３０】
なお、上記保持部材２６の内周面とハブ１１の中心円筒部１１ｂの外周面との間には所定の間隔を保持して、保持部材２６がボス部６ａ側に固定されたままとする。この保持部材２６の外周面とボス部６ａの内周面との間に上述した保持部材２５が保持される。
そして、この保持部材２５と保持部材２６の鍔部２６ａとの間にブラシ２２、２３の弾性押圧部材としてコイルスプリング２７が配置され、このコイルスプリング２７のバネ力でブラシ２２、２３をスリップリング１９、２０に弾性的に押圧接触させている。正極側、負極側の２本のリード線２８、２９の一端は保持部材２５を貫通してブラシ２２、２３に電気接続されている。この２本のリード線２８、２９も図示の簡略化のために１本のみ図示している。
【００３１】
この２本のリード線２８、２９は導体の周囲を絶縁被覆で覆ったものであり、その他端部は保持部材２６の鍔部２６ａを貫通して鍔部２６ａの外部に露出している。２本のリード線２８、２９のうち、この露出端部にはスプリング作用を持つ曲げ部２８ａ、２９ａが形成してある。
３０は樹脂製のコネクタ本体であり、フロントハウジング６の外表面上に成形されて固定されるものであって、コネクタ本体３０の内部には導電金属からなる細い平板状の２枚の接続端子３１、３２が所定間隔を開けてフロントハウジング６の半径方向外方に向かうように配設されている。この接続端子３１、３２も図示の簡略化のために１枚のみ図示している。
【００３２】
この接続端子３１、３２には、保持部材２６の鍔部２６ａと対向する面に平板部３１ａ、３２ａを配置して、この平板部３１ａ、３２ａにリード線２８、２９の曲げ部２８ａ、２９ａが弾性的に圧接することにより、リード線２８、２９と接続端子３１、３２との電気接続を得るようにしてある。
上記したリード線１６、１７、スリップリング１９、２０、ブラシ２２、２３、リード線２８、２９および接続端子３１、３２により、電磁コイル２の通電路を構成している。コネクタ本体３０の接続端子３１、３２は電磁クラッチの断続（すなわち圧縮機５の作動の断続）を制御する外部制御回路（図示せず）に電気接続される。
【００３３】
次に、上記構成において作動を説明する。ロータ１は、軸受７によってフロントハウジング６のボス部６ａの外周面上で回転自在に支持されているので、図示しない自動車エンジンが運転されると、エンジンのクランクプーリの回転がベルト（図示せず）を介してプーリ１ａに伝達され、ロータ１および電磁コイル２は常時回転する。
【００３４】
ロータ１および電磁コイル２の回転に伴って、リード線１６、１７、保持板１８、保持部材２４およびスリップリング１９、２０も一緒に回転する。これに対し、ブラシ２２、２３、保持部材２５、２６、コイルスプリング２７、およびリード線２８、２９はすべてボス部６ａ側に保持されて、固定されている。従って、回転するスリップリング１９、２０に対してブラシ２２、２３の軸方向の一端面がコイルスプリング２７のバネ力で圧接し、摺動することになる。
【００３５】
上記の状態において、圧縮機５を作動させるため、外部制御回路からコネクタ本体３０の接続端子３１、３２に車載電源の電圧が印加されると、上記した部材（１６、１７、１９、２０、２２、２３、２８、２９）から構成される通電路を介して電磁コイル２に通電される。すると、ロータ１とアーマチャ８との間に構成される磁気回路Ｂ（図１、２参照）に磁束が流れ、これにより、ロータ１の摩擦面１ｅおよび摩擦板４とアーマチャ８との間に電磁吸引力が発生するので、アーマチャ８は板バネ９の軸方向弾性力（図１、２の左方向への力）に抗してロータ１の摩擦面１ｅおよび摩擦板４に吸引、吸着される。
【００３６】
この結果、ロータ１とアーマチャ８が一体となって回転し、さらにアーマチャ８は板バネ９およびリベット１０を介してハブ１１と一体に回転する。従って、ハブ１１を介して圧縮機５の回転軸１３にロータ１の回転が伝達され、圧縮機５が作動する。
ところで、図１、２の磁気回路Ｂにおいて、ロータ１および摩擦板４と、アーマチャ８との間で、半径方向に４極（４箇所）の電磁吸着部▲１▼〜▲４▼を構成しており、アーマチャ８の電磁吸引力はこの電磁吸着部▲１▼〜▲４▼の極数の増加に応じて増大するから、電磁吸着部▲１▼〜▲４▼の４極化により電磁吸引力を増大できる。しかも、アーマチャ８とロータ１との間、およびアーマチャ８と摩擦板４との間でそれぞれ別体の部品が介在することがなく、これらの部材間を直接磁束が流れるので、従来技術のような別体部品による磁気抵抗の増大が発生せず、磁気効率を向上できる。従って、電磁コイル２の起磁力をアーマチャ８の電磁吸引力発生のために効率よく活用できる。
【００３７】
一方、圧縮機５を停止するときは、電磁コイル２への通電を遮断する。これにより、前記電磁吸引力が消滅するので、アーマチャ８は板バネ９の軸方向弾性力によりロータ１の摩擦面１ｅおよび摩擦板４から離れ、圧縮機５の回転軸１３への回転伝達が遮断されるため、圧縮機５が停止する。
（他の実施形態）
なお、上記実施形態では、ロータ１にプーリ部１ａを一体に設ける場合について図示したが、ロータ１に別体で成形されたプーリ部１ａを一体に接合してもよいことはもちろんである。
【００３８】
また、上記実施形態では、摩擦板４の内外周部の突起部４ｂ、４ｃのうち、内周部の突起部４ｃをロータ１の内周円筒部１ｂの端部に溶接等により固着しているが、摩擦板４の外周部の突起部４ｂをロータ１の外周円筒部１ｃの端部に溶接等により固着してもよい。また、摩擦板４の内外周部の突起部４ｂ、４ｃを両方ともロータ１の内周円筒部１ｂと外周円筒部１ｃの端部に固着してもよい。
【００３９】
また、ロータ１の内周円筒部１ｂと外周円筒部１ｃの端部に形成する溝部１ｆ、１ｇをリング状とせずに、摩擦板４の内外周部の突起部４ｂ、４ｃに対応する部位のみに部分的に形成して、摩擦板４の円周方向の位置決めも行うようにしてもよい。
また、上記実施形態では、アーマチャ８の径方向の中間部位に磁気遮断部としての円弧状溝８ａを形成しているが、アーマチャ８をこの円弧状溝８ａの部位で外周側のリング部材と内周側のリング部材とに２分割して、この内外周の２つのリング部材の間を非磁性金属（例えば、銅等）で一体に接合するようにしてもよい。
【図面の簡単な説明】
【図１】本発明の一実施形態を示す電磁クラッチの半断面図で、図４のＡ−Ａ断面を示す。
【図２】本発明の一実施形態を示す電磁クラッチの半断面図で、図４のＣ−Ｃ断面を示す。
【図３】図１、２の電磁クラッチの全体形状を示す半断面側面図である。
【図４】図１、２の電磁クラッチのロータ部の正面図である。
【図５】図４のＪ−Ｊ断面図である。
【図６】図１、２の電磁クラッチにおけるボス部と円筒状保持部材との配置形態を示す断面図である。
【図７】（ａ）は図１、２の電磁クラッチのロータ部に装着される摩擦板の正面図、（ｂ）は同摩擦板の断面図である。
【符号の説明】
１…ロータ（駆動側回転部材）、１ｅ…摩擦面、１ｆ、１ｇ…溝部、
２…電磁コイル、４…摩擦板、４ｂ、４ｃ…突起部、
５…圧縮機（従動側機器）、６…フロントハウジング、８…アーマチャ、８ａ…円弧状溝部（磁気遮断部）、９…板バネ（弾性連結部材）、１１…ハブ（従動側回転部材）、１３…回転軸。
【図１】
0003893682.tif 000002
【図２】
0003893682.tif 000003
【図３】
0003893682.tif 000004
【図４】
0003893682.tif 000005
【図５】
0003893682.tif 000006
【図６】
0003893682.tif 000007
【図７】
0003893682.tif 000008